(57)【要約】【課題】維持放電電圧を低減可能なプラズマディスプレイパネルを提供する。【解決手段】第１の電極１００は、第１の透明電極１０１と第１の透明電極１０１に積層された第１のバス電極１１０とを有する。第２の電極２００は、第１の電極１００の側に配置された第２の透明電極２０１と、第３の電極３００の側に配置された第３の透明電極２０２と、第２の透明電極２０１と第３の透明電極２０２との間に配置され且つ第２の透明電極２０１および第３の透明電極２０２のそれぞれと電気的に接続された第２のバス電極２１０とを有する。第３の電極３００は、第４の透明電極３０１と第４の透明電極３０１に積層された第３のバス電極３１０とを有する。第２の透明電極２０１の幅は、第１の透明電極１０１の幅以上、第１の透明電極１０１の幅の１．３倍未満である。【選択図】図１
2012174497.tif 000002
【特許請求の範囲】
【請求項１】
前面板と、
前記前面板と対向配置された背面板と、を備え、
前記前面板は、複数の表示電極と前記表示電極を覆う誘電体層とを含み、
前記表示電極は、第１の電極、第２の電極および第３の電極が順に配置されて構成され、
前記第１の電極は、帯状の第１の透明電極と前記第１の透明電極に重ねて設けられた第１のバス電極とを有し、
前記第２の電極は、前記第１の電極の側に配置された帯状の第２の透明電極と、前記第３の電極の側に配置された帯状の第３の透明電極と、前記第２の透明電極と前記第３の透明電極との間に配置され且つ前記第２の透明電極および前記第３の透明電極のそれぞれと電気的に接続された第２のバス電極とを有し、
前記第３の電極は、帯状の第４の透明電極と前記第４の透明電極に重ねて設けられた第３のバス電極とを有し、
前記第２の透明電極の幅は、前記第１の透明電極の幅以上、前記第１の透明電極の幅の１．３倍未満である、
プラズマディスプレイパネル。
【請求項２】
前記第２の透明電極は、前記第２のバス電極と所定の間隔をおいて配置され、前記第２の透明電極の一部が前記第２のバス電極と電気的に接続された、
請求項１に記載のプラズマディスプレイパネル。
【請求項３】
前記第３の透明電極の幅は、前記第４の透明電極の幅以上、前記第３の透明電極の幅の１．３倍未満である、
請求項１または請求項２のいずれか１項に記載のプラズマディスプレイパネル。
【請求項４】
前記第３の透明電極は、前記第２のバス電極と所定の間隔をおいて配置され、前記第３の透明電極の一部が前記第２のバス電極と電気的に接続された、
請求項３に記載のプラズマディスプレイパネル。
【請求項５】
前記第１の透明電極と前記第２の透明電極との間に第１の放電ギャップが形成され、前記第１の放電ギャップの中央と前記第１のバス電極における第１の放電ギャップ側端部との距離は、前記第１の放電ギャップの中央と前記前記第２のバス電極における第１の放電ギャップ側端部との距離よりも短い、
請求項２に記載のプラズマディスプレイパネル。
【請求項６】
前記第３の透明電極と前記第４の透明電極との間に第２の放電ギャップが形成され、前記第２の放電ギャップの中央と前記第３のバス電極における第２の放電ギャップ側端部との距離は、前記第２の放電ギャップの中央と前記前記第２のバス電極における第２の放電ギャップ側端部との距離よりも短い、
請求項４または請求項５のいずれか１項に記載のプラズマディスプレイパネル。
【発明の詳細な説明】
【技術分野】
【０００１】
ここに開示された技術は、表示デバイスなどに用いられるプラズマディスプレイパネルに関する。
【背景技術】
【０００２】
プラズマディスプレイパネル（以下、ＰＤＰと称する）は、前面板と背面板とが対向配置された構成である。駆動波形を供給するために前面板に配置された表示電極は、走査電極と維持電極とから構成される。ＰＤＰを発光させるための維持放電は、走査電極と維持電極との間で発生する。また、走査電極および維持電極にはバス電極が設けられる。ＰＤＰの光取り出し効率を向上させるために、一本のバス電極を共通電極として、垂直方向に隣接する２つの放電セルに維持波形を印加する技術が開示されている。つまり隣接する二本の維持電極に対して一本のバス電極（共通バス電極）が維持波形を供給している（例えば、特許文献１参照）。
【先行技術文献】
【特許文献】
【０００３】
【特許文献１】特開２００９−２８３１６０号公報
【発明の概要】
【発明が解決しようとする課題】
【０００４】
しかしながら、維持波形を印加するバス電極を共通バス電極とすると、維持放電が共通バス電極の近傍まで広がる場合がある。維持放電が共通バス電極の近傍まで広がると放電距離が長くなる。よって、維持放電に必要な電圧が上昇してしまうといった課題があった。
【０００５】
ここに開示された技術は、上記課題を解決するためになされたものである。すなわち、共通バス電極近傍まで維持放電が広がることを抑制する。よって、維持放電に必要な電圧が上昇することを抑制可能なＰＤＰを提供することを目的とする。
【課題を解決するための手段】
【０００６】
上記目的は、以下のＰＤＰによって達成される。ＰＤＰは、前面板と、前面板と対向配置された背面板と、を備える。前面板は、複数の表示電極と表示電極を覆う誘電体層とを含む。表示電極は、第１の電極、第２の電極および第３の電極が順に配置されて構成される。第１の電極は、帯状の第１の透明電極と第１の透明電極に重ねて設けられた第１のバス電極とを有する。第２の電極は、第１の電極の側に配置された帯状の第２の透明電極と、第３の電極の側に配置された帯状の第３の透明電極と、第２の透明電極と第３の透明電極との間に配置され且つ第２の透明電極および第３の透明電極のそれぞれと電気的に接続された第２のバス電極とを有する。第３の電極は、帯状の第４の透明電極と第４の透明電極に重ねて設けられた第３のバス電極とを有する。第２の透明電極の幅は、第１の透明電極の幅以上、第１の透明電極の幅の１．３倍未満である。
【発明の効果】
【０００７】
上記の構成によれば、共通バス電極近傍まで維持放電が広がることを抑制できる。よって、維持放電に必要な電圧が上昇することを抑制可能なＰＤＰを提供できる。
【図面の簡単な説明】
【０００８】
【図１】本実施の形態にかかるＰＤＰの概略構造を示す斜視図である。
【図２】同ＰＤＰの電極配置を示す図である。
【図３】同ＰＤＰの駆動波形を示す図である。
【図４】本実施の形態にかかる前面板の一部を示す図である。
【図５】同前面板の断面を示す図である。
【図６】同前面板における壁電荷の蓄積状態を示す図である。
【発明を実施するための形態】
【０００９】
（実施の形態）
本実施の形態のＰＤＰ１は、交流面放電型ＰＤＰである。本実施の形態においては、図１に示すように、Ｘ軸とＹ軸とＺ軸とからなる３次元直交座標系が定義される。以下、それぞれの図面において、適宜このＸＹＺ座標系を基準として説明がなされる。図１に示すように、ＰＤＰ１は、前面ガラス基板５などを含む前面板２と、背面ガラス基板１１などを含む背面板３とが対向した構造である。前面板２と背面板３の外周部は、ガラスフリットなどからなる封着材によって気密封着されている。封着されたＰＤＰ１内部の放電空間には、Ｎｅ（ネオン）およびＸｅ（キセノン）などの放電ガスが５５ｋＰａ〜８０ｋＰａの圧力で封入されている。なお、ＰＤＰ１の発光は、Ｚ軸正方向から取り出される。
【００１０】
前面板２は、前面ガラス基板５上に形成された表示電極８を有する。表示電極８は、Ｙ軸方向に延伸している。表示電極８は、第１の電極１００と第２の電極２００と第３の電極３００とから構成される。第１の電極１００は、第１の透明電極１０１と第１のバス電極１１０とから構成される。第１の電極１００は、走査電圧波形を与える走査電極である。第２の電極２００は、第２の透明電極２０１と第２のバス電極２１０と第３の透明電極２０２とから構成される。第２の透明電極２０１と第２のバス電極２１０とで維持波形を与える維持電極を構成する。また、第３の透明電極２０２と第２のバス電極２１０とで維持波形を与える維持電極を構成する。つまり、第２のバス電極２１０は、第２の透明電極２０１および第３の透明電極２０２に対する共通バス電極である。第３の電極３００は、第４の透明電極３０１と第３のバス電極３１０とから構成される。第３の電極３００は、走査電圧波形を与える走査電極である。
【００１１】
さらに、前面板２は、表示電極８を被覆する誘電体層９と、誘電体層９を被覆する保護層１０とを有する。なお、表示画像のコントラストを向上させるために、前面板２は、ブラックストライプあるいはブラックマトリクスを備えてもよい。
【００１２】
背面板３は、背面ガラス基板１１上に形成された複数のアドレス電極１２を有する。アドレス電極はＸ軸方向に延伸している。つまり、アドレス電極１２は、表示電極８と直交する方向に配置されている。さらに、背面板３は、アドレス電極１２を被覆する下地誘電体層１３を有する。下地誘電体層１３上には、横隔壁４ａと縦隔壁４ｂとから構成される隔壁４が配置される。横隔壁４ａは、Ｙ軸方向に延伸している。縦隔壁４ｂは、Ｘ軸方向に延伸している。縦隔壁４ｂは、二本のアドレス電極１２の間に相当する位置に形成される。さらに、背面板３は、隣接する隔壁４の間に形成された蛍光体層１４を有する。蛍光体層１４は、一例として、赤色に発光する蛍光体、緑色に発光する蛍光体および青色に発光する蛍光体から構成される。
【００１３】
図２に示すように、ＰＤＰ１は、Ｙ軸方向に延伸して配列されたｎ本の走査電極ＳＣ１、ＳＣ２、ＳＣ３・・・ＳＣｎを有する。ＰＤＰ１は、Ｙ軸方向に延伸して配列されたｎ本の維持電極ＳＵ１、ＳＵ２、ＳＵ３・・・ＳＵｎを有する。ＰＤＰ１は、Ｘ軸方向に延伸して配列されたｍ本のアドレス電極Ａ１・・・Ａｍを有する。走査電極ＳＣ１および維持電極ＳＵ１とアドレス電極Ａ１とが交差した部分に放電セルが形成されている。放電セルは放電空間内にｍ×ｎ個形成されている。放電セルが形成された領域が画像表示領域である。走査電極および維持電極は、前面板の画像表示領域外の周辺端部に設けられた接続端子に接続されている。アドレス電極は、背面板の画像表示領域外の周辺端部に設けられた接続端子に接続されている。
【００１４】
図３に示すようにＰＤＰ１はサブフィールド駆動法により駆動される。１フィールドは、複数のサブフィールドにより構成される。一つのサブフィールドは、初期化期間と、書込み期間と、維持期間とを有する。初期化期間は放電セルにおいて初期化放電を発生させる期間である。書込み期間は、初期化期間のあと、発光させる放電セルを選択する書込み放電を発生させる期間である。維持期間は、書込み期間において選択された放電セルに維持放電を発生させる期間である。
【００１５】
第１サブフィールドの初期化期間では、アドレス電極Ａ１〜Ａｍおよび維持電極ＳＵ１〜ＳＵｎが０（Ｖ）に保持される。また、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧が印加される。すると、全ての放電セルにおいて１回目の微弱な初期化放電が発生する。初期化放電によって、走査電極ＳＣ１〜ＳＣｎ上に負の壁電圧が蓄えられる。維持電極ＳＵ１〜ＳＵｎ上およびアドレス電極Ａ１〜Ａｍ上に正の壁電圧が蓄えられる。壁電圧とは保護層１０や蛍光体層１４上などに蓄積した壁電荷により生じる電圧である。
【００１６】
その後、維持電極ＳＵ１〜ＳＵｎが正の電圧Ｖｈ（Ｖ）に保たれる。走査電極ＳＣ１〜ＳＣｎに電圧Ｖｉ３（Ｖ）から電圧Ｖｉ４（Ｖ）に向かって緩やかに下降するランプ電圧が印加される。すると、すべての放電セルにおいて２回目の微弱な初期化放電が発生する。走査電極ＳＣ１〜ＳＣｎ上と維持電極ＳＵ１〜ＳＵｎ上との間の壁電圧が弱められる。アドレス電極Ａ１〜Ａｍ上の壁電圧が書込み動作に適した値に調整される。
【００１７】
続く書込み期間では、走査電極ＳＣ１〜ＳＣｎが、一旦Ｖｒ（Ｖ）に保持される。次に、１行目の走査電極ＳＣ１に負の走査パルス電圧Ｖａ（Ｖ）が印加される。さらに、アドレス電極Ａ１〜Ａｍのうち１行目に表示すべき放電セルのアドレス電極Ａｋ（ｋ＝１〜ｍ）に正の書込みパルス電圧Ｖｄ（Ｖ）が印加される。このときアドレス電極Ａｋと走査電極ＳＣ１との交差部の電圧は、外部印加電圧（Ｖｄ−Ｖａ）（Ｖ）にアドレス電極Ａｋ上の壁電圧と走査電極ＳＣ１上の壁電圧とが加算されたものとなる。つまり、アドレス電極Ａｋと走査電極ＳＣ１との交差部の電圧は、放電開始電圧を超える。そして、アドレス電極Ａｋと走査電極ＳＣ１との間および維持電極ＳＵ１と走査電極ＳＣ１との間に書込み放電が発生する。書込み放電が発生した放電セルの走査電極ＳＣ１上には正の壁電圧が蓄積される。書込み放電が発生した放電セルの維持電極ＳＵ１上には負の壁電圧が蓄積される。書込み放電が発生した放電セルのアドレス電極Ａｋ上には負の壁電圧が蓄積される。
【００１８】
一方、書込みパルス電圧Ｖｄ（Ｖ）が印加されなかったアドレス電極Ａ１〜Ａｍと走査電極ＳＣ１との交差部の電圧は放電開始電圧を超えない。よって、書込み放電は発生しない。以上の書込み動作がｎ行目の放電セルに至るまで順次行われる。書込み期間の終了は、ｎ行目の放電セルの書込み動作が終了したときである。
【００１９】
続く維持期間では、走査電極ＳＣ１〜ＳＣｎには第１の電圧として正の維持パルス電圧Ｖｓ（Ｖ）が印加される。維持電極ＳＵ１〜ＳＵｎには第２の電圧として接地電位、すなわち０（Ｖ）が印加される。このとき書込み放電が発生した放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が発生する。維持放電により発生した紫外線により蛍光体層が励起されて発光する。そして走査電極ＳＣｉ上に負の壁電圧が蓄積される。維持電極ＳＵｉ上に正の壁電圧が蓄積される。アドレス電極Ａｋ上には正の壁電圧が蓄積される。
【００２０】
書込み期間において書込み放電が発生しなかった放電セルでは、維持放電は発生しない。よって、初期化期間の終了時における壁電圧が保持される。続いて、走査電極ＳＣ１〜ＳＣｎには第２の電圧である０（Ｖ）が印加される。維持電極ＳＵ１〜ＳＵｎには第１の電圧である維持パルス電圧Ｖｓ（Ｖ）が印加される。すると、維持放電が発生した放電セルでは、維持電極ＳＵｉ上と走査電極ＳＣｉ上との間の電圧が放電開始電圧を超える。したがって、再び維持電極ＳＵｉと走査電極ＳＣｉとの間に維持放電が発生する。つまり、維持電極ＳＵｉ上に負の壁電圧が蓄積される。走査電極ＳＣｉ上に正の壁電圧が蓄積される。
【００２１】
以降同様に、走査電極ＳＣ１〜ＳＣｎと維持電極ＳＵ１〜ＳＵｎとに交互に輝度重みに応じた数の維持パルス電圧Ｖｓ（Ｖ）が印加されることにより、書込み期間において書込み放電が発生した放電セルで維持放電が継続して発生する。所定の数の維持パルス電圧Ｖｓ（Ｖ）の印加が完了すると維持期間における維持動作が終了する。
【００２２】
続く第２サブフィールド以降における初期化期間、書込み期間、維持期間の動作も、第１サブフィールドにおける動作とほぼ同様である。よって、詳細な説明は省略される。なお、第２サブフィールド以降においては、前のサブフィールドにおいて維持放電を起こした放電セルのみで選択的に初期化放電を発生させる選択初期化動作が行われてもよい。全セル初期化動作と選択初期化動作について、本実施の形態では、第１サブフィールドとその他のサブフィールドとの間で使い分けわれる。しかし、全セル初期化動作が第１サブフィールド以外のサブフィールドにおける初期化期間で行われてもよい。さらに、全セル初期化動作が、数フィールドに１回の頻度で行われてもよい。
【００２３】
また、書込み期間、維持期間における動作は、上述した第１サブフィールドにおける動作と同様である。しかし、維持期間における動作は、上述した第１サブフィールドにおける動作と必ずしも同様ではない。画像信号ｓｉｇに対応した輝度が得られるような維持放電を発生させるために、維持放電パルスＶｓ（Ｖ）の数が変化する。すなわち、維持期間は、サブフィールド毎の輝度を制御するように駆動される。
【００２４】
次にＰＤＰ１の製造方法が詳細に述べられる。まず、前面板２の製造方法が述べられる。フォトリソグラフィ法によって、前面ガラス基板５上に、表示電極８が形成される。具体的には、まず、前面ガラス基板５上に第１の透明電極１０１、第２の透明電極２０１、第３の透明電極２０２および第４の透明電極３０１が形成される。なお、以降の記載において、第１の透明電極１０１、第２の透明電極２０１、第３の透明電極２０２および第４の透明電極３０１を単に「透明電極」と称する。
【００２５】
透明電極は、一例として、ＩＴＯ（Ｉｎｄｉｕｍ  Ｔｉｎ  Ｏｘｉｄｅ）膜などの可視光に対して透明な材料の薄膜がパターニングされたものである。
【００２６】
次に、第１のバス電極１１０、第２のバス電極２１０および第３のバス電極３１０が形成される。なお、以降の記載において、第１のバス電極１１０、第２のバス電極２１０および第３のバス電極３１０を単に「バス電極」と称する。
【００２７】
バス電極の材料には、銀（Ａｇ）と銀を結着させるためのガラスフリットと感光性樹脂と溶剤などを含む電極ペーストが用いられる。まず、スクリーン印刷法などによって、電極ペーストが、前面ガラス基板５に塗布される。次に、乾燥炉によって、電極ペースト中の溶剤が除去される。次に、所定のパターンのフォトマスクを介して、電極ペーストが露光される。
【００２８】
次に、電極ペーストが現像されることにより、感光性樹脂などを含むバス電極パターンが形成される。最後に、焼成炉によって、バス電極パターンが所定の温度で焼成される。つまり、バス電極パターン中の感光性樹脂などが除去される。また、バス電極パターン中のガラスフリットが溶融する。溶融したガラスフリットは、焼成後に再度ガラス化することにより銀を結着させる。以上の工程によって、バス電極が形成される。
【００２９】
なお、電極ペーストをスクリーン印刷する方法以外にも、スパッタ法、蒸着法などを用いることができる。なお、バス電極は、画像表示面のコントラストを向上するため黒色顔料を含む黒色電極と、導電性を確保するための金属電極との積層構造でもよい。なお、表示電極８の詳細は、後に述べられる。
【００３０】
次に、誘電体層９が形成される。誘電体層９の材料には、誘電体ガラスフリットと樹脂と溶剤などを含む誘電体ペーストが用いられる。まずダイコート法などによって、誘電体ペーストが所定の厚みで表示電極８を覆うように前面ガラス基板５上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。溶融したガラスフリットは、焼成後に再度ガラス化する。以上の工程によって、誘電体層９が形成される。
【００３１】
なお、誘電体ペーストをダイコートする方法以外にも、スクリーン印刷法、スピンコート法などを用いることができる。
【００３２】
次に、誘電体層９上に酸化マグネシウム（ＭｇＯ）などからなる保護層１０が形成される。保護層１０は、真空蒸着法、ＣＶＤ法、スパッタ法などによって形成することができる。
【００３３】
以上の工程により、前面板２が完成する。
【００３４】
次に背面板３の製造方法が述べられる。まず、フォトリソグラフィ法によって、背面ガラス基板１１上に、アドレス電極１２が形成される。アドレス電極の材料には、導電性を確保するための銀（Ａｇ）と銀を結着させるためのガラスフリットと感光性樹脂と溶剤などを含むアドレス電極ペーストが用いられる。まず、スクリーン印刷法などによって、アドレス電極ペーストが所定の厚みで背面ガラス基板１１上に塗布される。次に、乾燥炉によって、アドレス電極ペースト中の溶剤が除去される。次に、所定のパターンのフォトマスクを介して、アドレス電極ペーストが露光される。次に、アドレス電極ペーストが現像され、アドレス電極パターンが形成される。最後に、焼成炉によって、アドレス電極パターンが所定の温度で焼成される。つまり、アドレス電極パターン中の感光性樹脂が除去される。また、アドレス電極パターン中のガラスフリットが溶融する。溶融したガラスフリットは、焼成後に再度ガラス化する。以上の工程によって、アドレス電極１２が形成される。
【００３５】
なお、アドレス電極ペーストをスクリーン印刷する方法以外にも、スパッタ法、蒸着法などを用いることができる。
【００３６】
次に、下地誘電体層１３が形成される。下地誘電体層１３の材料には、誘電体ガラスフリットと樹脂と溶剤などを含む下地誘電体ペーストが用いられる。まず、スクリーン印刷法などによって、下地誘電体ペーストが所定の厚みでアドレス電極１２が形成された背面ガラス基板１１上にアドレス電極１２を覆うように塗布される。次に、乾燥炉によって、下地誘電体ペースト中の溶剤が除去される。最後に、焼成炉によって、下地誘電体ペーストが所定の温度で焼成される。つまり、下地誘電体ペースト中の樹脂が除去される。また、誘電体ガラスフリットが溶融する。溶融した誘電体ガラスフリットは、焼成後に再度ガラス化する。以上の工程によって、下地誘電体層１３が形成される。
【００３７】
なお、下地誘電体ペーストをスクリーン印刷する方法以外にも、ダイコート法、スピンコート法などを用いることができる。また、下地誘電体ペーストを用いずに、ＣＶＤ（Ｃｈｅｍｉｃａｌ  Ｖａｐｏｒ  Ｄｅｐｏｓｉｔｉｏｎ）法などによって、下地誘電体層１３となる膜を形成することもできる。
【００３８】
次に、フォトリソグラフィ法によって、隔壁４が形成される。隔壁４の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで下地誘電体層１３上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。溶融したガラスフリットは、焼成後に再度ガラス化する。以上の工程によって、隔壁４が形成される。
【００３９】
なお、フォトリソグラフィ法以外にも、サンドブラスト法などを用いることができる。
【００４０】
次に、蛍光体層１４が形成される。蛍光体層１４材料には、蛍光体粒子とバインダと溶剤などとを含む蛍光体ペーストが用いられる。まず、ディスペンス法などによって、蛍光体ペーストが所定の厚みで隣接する隔壁４間の下地誘電体層１３上および隔壁４の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４が形成される。
【００４１】
なお、ディスペンス法以外にも、スクリーン印刷法などを用いることができる。
【００４２】
以上の工程により、背面板３が完成する。
【００４３】
最後に、前面板２と背面板３との組立方法が述べられる。まず、ディスペンス法によって、背面板３の周囲に封着材（図示せず）が形成される。封着材（図示せず）の材料には、ガラスフリットとバインダと溶剤などを含む封着ペーストが用いられる。次に乾燥炉によって、封着ペースト中の溶剤が除去される。次に、表示電極８とアドレス電極１２とが直交するように、前面板２と背面板３とが対向配置される。次に、前面板２と背面板３の周囲がガラスフリットで封着される。最後に、放電空間１５にＮｅ、Ｘｅなどを含む放電ガスが封入される。
【００４４】
次に、表示電極８の詳細が述べられる。図４に示すように、表示電極８は、第１の電極１００、第２の電極２００および第３の電極３００がＸ軸に直交するように順に配置されている。第１の電極１００は、帯状の第１の透明電極１０１と第１の透明電極１０１に重ねて設けられた第１のバス電極１１０とを有する。第２の電極２００は、第１の電極１００の側（Ｘ軸正方向）に配置された帯状の第２の透明電極２０１と、第３の電極の側（Ｘ軸負方向）に配置された帯状の第３の透明電極２０２と、第２の透明電極２０１と第３の透明電極２０２との間に配置され且つ第２の透明電極２０１および第３の透明電極２０２のそれぞれと電気的に接続された第２のバス電極２１０とを有する。第３の電極３００は、帯状の第４の透明電極３０１と第４の透明電極３０１に重ねて設けられた第３のバス電極３１０とを有する。第２の透明電極２０１の幅Ｗ２は、第１の透明電極１０１の幅Ｗ１以上であり、かつ、第１の透明電極１０１の幅Ｗ１の１．３倍未満である。
【００４５】
第２のバス電極２１０は、第２の透明電極２０１および第３の透明電極２０２に維持電圧波形を与える。
【００４６】
また、第１の透明電極１０１と第２の透明電極２０１との間に第１の放電ギャップが形成されている。第３の透明電極２０２と、第４の透明電極３０１との間に第２の放電ギャップが形成されている。
【００４７】
つまり、第１の電極１００と第２の透明電極２０１が配置された放電セルは、第１の放電ギャップから維持放電が始まる。第３の電極３００と第３の透明電極２０２が配置された放電セルは、第２の放電ギャップから維持放電が始まる。
【００４８】
さらに、第１のバス電極１１０と、第１のバス電極１１０とＸ軸正方向に隣接している第３のバス電極３１０との間にインターピクセルギャップ（ＩＰＧ）が形成されている。ＩＰＧを挟んだ電極間には放電は発生しない。さらに、第２のバス電極２１０に沿ってＩＰＧが形成されている。図示しないが、ＩＰＧに相対する領域に横隔壁４ａが形成されている。つまり、第２のバス電極２１０は、横隔壁４ａに相対する位置に形成されている。
【００４９】
図５に示すように、第１の電極１００は、第１の透明電極１０１のＺ軸負方向に、第１のバス電極１１０が重ねて設けられている。
【００５０】
誘電体層９は、上述のように誘電体ペーストを材料として形成される。したがって、誘電体ペーストを前面ガラス基板５上に塗布すると、前面ガラス基板５に形成されている構造物（バス電極など）にはあまり依存せず、平坦な誘電体ペーストの層を形成する。乾燥および焼成によって、誘電体ペーストは収縮し、誘電体層９が形成される。しかし、誘電体層９の表面は概ね平坦なままである。つまり、前面ガラス基板５から誘電体層９の表面までの距離は、ほぼ一定である。よって、バス電極上の誘電体層９の厚みは、バス電極が形成されていない領域の誘電体層９の厚みより小さくなる。
【００５１】
すなわち、図５に示すように、第１のバス電極１１０は所定の厚みを有しているので、第１のバス電極１１０上の誘電体層９の厚みと保護層１０の厚みとの合計Ｔ１は、第２の透明電極２０１上の誘電体層９の厚みと保護層１０の厚みとの合計Ｔ２より小さくなる。
【００５２】
つまり、第２の透明電極２０１の幅が、第１の透明電極１０１の幅より小さい場合、上述の駆動波形が第１の電極１００に与えられると、第１の電極１００上に蓄積される容量は、第２の透明電極２０１上に蓄積される容量よりも大きくなる。すなわち、第１の電極１００上に蓄積される壁電荷は、第２の透明電極２０１上に蓄積される壁電荷よりも大きくなる。このとき、第１の放電ギャップから始まる維持放電の広がりは、壁電荷のバランスをとるために、第２のバス電極２１０の近傍まで広がってしまう。維持放電が第２のバス電極２１０の近傍まで広がると、維持放電に必要な電圧が上昇してしまう。また、第２のバス電極２１０は、横隔壁４ａに相対する領域に形成されている。維持放電の広がりが横隔壁４ａに近づくと発光効率が低下してしまう。
【００５３】
しかし本実施の形態においては、図４に示すように、第２の透明電極２０１の幅Ｗ２が、第１の透明電極１０１の幅Ｗ１以上、かつ、第１の透明電極１０１の幅Ｗ１の１．３倍未満に構成されている。この構成によれば、第１の電極１００上に蓄積される容量は、第２の透明電極２０１上に蓄積される容量と同等以下になる。すなわち、図６に示すように、第１の電極１００上に蓄積される壁電荷は、第２の透明電極２０１上に蓄積される壁電荷と同等以下になる。したがって、第１の放電ギャップから始まる維持放電が、第２のバス電極２１０の近傍まで広がることを抑制できる。すなわち、維持波形を与える第２のバス電極２１０を共通バス電極として、ＰＤＰ１の光取り出し効率が向上する利益を享受しつつ、ＰＤＰ１における維持放電電圧の上昇を抑制できる。
【００５４】
本発明者らは、Ｘ軸方向のセルピッチが４８０μｍ〜５７６μｍの範囲である複数のＰＤＰ１を作製した。ＰＤＰ１の基本的な構成は上述のとおりである。さらに、ＰＤＰ１には、キセノン（Ｘｅ）の含有量が１５体積％のネオン（Ｎｅ）−キセノン（Ｘｅ）系の混合ガスが、６０ｋＰａの内圧で封入された。本発明者らは、以下の条件において、ＰＤＰ１の維持放電電圧の上昇が抑制できることを確認した。バス電極の厚みは４μｍ〜６μｍ、透明電極の厚みは０．２μｍ、Ｗ１およびＷ４は１２０μｍ〜１６０μｍ、Ｗ２およびＷ３は１２０μｍ〜２００μｍ、誘電体層９の厚みは２０μｍ〜２５μｍ、誘電体層の比誘電率は４．５〜７．０である。ここで、まずＷ１が決定された後、Ｗ１以上でありかつＷ１の１．３倍未満になるようにＷ２が決定された。Ｗ４およびＷ３についても同様である。
【００５５】
なお、図４および図５に示すように、第２の透明電極２０１は、第２のバス電極２１０と所定の間隔をおいて配置され、第２の透明電極２０１の一部は、第２のバス電極２１０と電気的に接続されていることが好ましい。第１の放電ギャップから始まる維持放電の広がりをより抑制できるからである。
【００５６】
さらに、第２の透明電極２０１と第２のバス電極２１０は、一つの放電セルについて、１箇所以上で接続されることが好ましい。第２のバス電極２１０から第２の透明電極２０１へ維持電圧波形をより確実に与えるためである。
【００５７】
さらに、図４に示すように、第１の放電ギャップのＸ軸方向における中央と第１のバス電極１１０における第１の放電ギャップ側端部との距離Ｌ１は、第１の放電ギャップのＸ軸方向における中央と第２のバス電極２１０における第１の放電ギャップ側端部との距離Ｌ２よりも短いことが好ましい。第１の放電ギャップから始まる維持放電が第２のバス電極２１０側へ広がることをより抑制できるからである。
【００５８】
さらに、図４および図５に示すように、第３の透明電極２０２の幅Ｗ３は、第４の透明電極３０１の幅Ｗ４以上であり、かつ、第４の透明電極３０１の幅Ｗ４の１．３倍未満であることが好ましい。第２の放電ギャップから始まる維持放電が第２のバス電極２１０の近傍まで広がることを抑制できるからである。
【００５９】
さらに、図４に示すように、第３の透明電極２０２は、第２のバス電極２１０と所定の間隔をおいて配置され、第３の透明電極２０２の一部は、第２のバス電極２１０と電気的に接続されていることが好ましい。第２の放電ギャップから始まる維持放電の広がりをより抑制できるからである。
【００６０】
さらに、第３の透明電極２０２と第２のバス電極２１０は、一つの放電セルについて、１箇所以上で接続されることが好ましい。第２のバス電極２１０から第３の透明電極２０２へ維持電圧波形をより確実に与えるためである。
【００６１】
さらに、第２の放電ギャップのＸ軸方向における中央と第３のバス電極３１０における第２の放電ギャップ側端部との距離Ｌ３は、第２の放電ギャップのＸ軸方向における中央と第２のバス電極２１０における第２の放電ギャップ側端部との距離Ｌ４よりも短いことが好ましい。第２の放電ギャップから始まる維持放電が第２のバス電極２１０側へ広がることをより抑制できるからである。
【産業上の利用可能性】
【００６２】
ここに開示された技術は、維持電圧を低減可能なＰＤＰを実現できる。よって、大画面の表示デバイスなどに有用である。
【符号の説明】
【００６３】
１    ＰＤＰ
２    前面板
３    背面板
４    隔壁
４ａ    横隔壁
４ｂ    縦隔壁
５    前面ガラス基板
８    表示電極
９    誘電体層
１０    保護層
１１    背面ガラス基板
１２    アドレス電極
１３    下地誘電体層
１４    蛍光体層
１００    第１の電極
１０１    第１の透明電極
１１０    第１のバス電極
２００    第２の電極
２０１    第２の透明電極
２０２    第３の透明電極
３００    第３の電極
３０１    第４の透明電極
３１０    第３のバス電極
【図１】
2012174497.tif 000003
【図２】
2012174497.tif 000004
【図３】
2012174497.tif 000005
【図４】
2012174497.tif 000006
【図５】
2012174497.tif 000007
【図６】
2012174497.tif 000008